(57)【特許請求の範囲】
【請求項１】
複数の商品を陳列するために吊り下げて使用される陳列用台紙であって、
商品が固定される面側に山折りするための山折用線と谷折りするための谷折用線とを、吊り下げ時の水平方向に沿って複数備え、
商品を固定するための複数の商品固定部材が、谷折用線と、吊り下げ時に該谷折用線の直ぐ下側に位置する山折用線との間にそれぞれ設けられていることを特徴とする陳列用台紙。
【請求項２】
複数の商品を陳列するために吊り下げて使用される陳列用台紙に、前記複数の商品を固定して梱包する商品梱包方法であって、
前記陳列用台紙を、商品が固定される面側に山折りと谷折りして、吊り下げ時の水平方向に沿って複数の山折線と谷折線を形成する折り畳み工程と、
前記折り畳み工程により形成される各谷折線と、吊り下げ時に該各谷折線の直ぐ下側に位置する各山折線との間に、商品を固定する商品固定工程とを含み、
固定された複数の商品を重ね合わせて梱包することを特徴とする商品梱包方法。
【請求項３】
さらに、重ね合わせた商品および陳列用台紙の周囲に帯を巻き回す、請求項２に記載の商品梱包方法。
【請求項４】
請求項２または３に記載の商品梱包方法により梱包された商品梱包物。
【発明の詳細な説明】
【技術分野】
【０００１】
本発明は、陳列用台紙ならびに商品梱包方法および商品梱包物に関する。
【背景技術】
【０００２】
スーパーマーケット等の店舗では、日用品、文房具、電気部品、雑貨等の多くの商品を袋入りまたは箱入りにし、数個から数十個をまとめて陳列用台紙に固定し、これを吊り下げて陳列する方法が広く利用されている。このような商品陳列方法は、商品が目立つことや、台紙への印刷広告による効果から販売が促進される。
【０００３】
従来、陳列用台紙としては、図７および図８に示すような台紙１０１が用いられている（例えば、特許文献１）。台紙１０１には複数の商品固定部１１０が設けられている。この商品固定部１１０に商品１２０（図示例は袋状）を固定し、該台紙１０１を店舗内等に吊り下げることにより複数の商品１２０を陳列することができる。
【０００４】
しかし、従来の台紙１０１では、図８に示すように、商品１２０を商品固定部１１０に固定した場合に、台紙の中央部１０１ｂに位置する商品１２０の部分が他の商品１２０と重なり合うことにより膨らんでしまう。そのため、例えば、商品１２０を台紙１０１に固定した状態でダンボール箱内に収納して輸送する場合には、収納の効率が悪いという問題がある。
【０００５】
すなわち、商品１２０を固定した台紙１０１を、図８に示すように縦に２つ折りにし、さらにそれらをビニール袋に詰めた後、ダンボール箱に詰めて重ね合わせていくと、台紙の中央部１０１ｂに位置する商品１２０部分が膨らんでいるために、台紙の上部１０１ａ同士および台紙の下部１０１ｃ同士が重なった部分に隙間が生じてしまう。
【０００６】
一般に、このような商品の輸送では、輸送物の占める容積により輸送費が決定されるため、商品の収納効率が悪ければ輸送コストに大きく影響する。
また、このような隙間が生じることにより、輸送中の振動等によって商品１２０が台紙１０１から脱落してしまうことがある。このような場合には、商品陳列時に商品１２０を台紙１０１に固定し直す手間が生じるだけでなく、商品１２０や商品固定部１１０が破損してしまい、商品として陳列できなくなることがある。商品１２０の脱落は、図８に示すもの全体をビニール袋に詰めることにより多少低減されるが、その効果は充分でない。
【０００７】
そこで、商品１２０を台紙１０１に固定せず、商品１２０のみを複数重ね合わせ、それを帯などで固定して輸送する方法が行われている。しかし、この輸送方法では、商品を陳列する際に、各店舗において商品１２０を一つ一つ商品固定部１１０に固定する必要があり、各店舗での作業負担が大きくなってしまう。
【特許文献１】特開平１０−８０３４５号公報
【発明の開示】
【発明が解決しようとする課題】
【０００８】
本発明は、上記事情に鑑みて、輸送コストが低く抑えられ、また輸送中の商品や陳列用台紙の破損のおそれが少なく、かつ店頭に陳列する際に煩雑な作業を必要としない陳列用台紙を提供することを課題とする。
また、本発明は、輸送コストが低く抑えられ、また輸送中の商品や陳列用台紙の破損のおそれが少なく、かつ店頭に陳列する際に煩雑な作業を必要としない商品梱包方法および該商品梱包物を提供することを課題とする。
【課題を解決するための手段】
【０００９】
本発明の陳列用台紙は、複数の商品を陳列するために吊り下げて使用される陳列用台紙であって、商品が固定される面側に山折りするための山折用線と谷折りするための谷折用線とを、吊り下げ時の水平方向に沿って複数備え、商品を固定するための複数の商品固定部材が、谷折用線と、吊り下げ時に該谷折用線の直ぐ下側に位置する山折用線との間にそれぞれ設けられていることを特徴とする。
【００１１】
本発明の商品梱包方法は、複数の商品を陳列するために吊り下げて使用される陳列用台紙に、前記複数の商品を固定して梱包する方法であって、前記陳列用台紙を、商品が固定される面側に山折りと谷折りして、吊り下げ時の水平方向に沿って複数の山折線と谷折線を形成する折り畳み工程と、前記折り畳み工程により形成される各谷折線と、吊り下げ時に該各谷折線の直ぐ下側に位置する各山折線との間に、商品を固定する商品固定工程とを含み、固定された複数の商品を重ね合わせて梱包することを特徴とする方法である。
【００１２】
本発明の商品梱包方法は、重ね合わせた複数の商品および陳列用台紙の周囲に帯を巻き回すことが好ましい。
【００１３】
本発明の商品梱包物は、前記商品梱包方法により、台紙に固定された複数の商品が重ね合わされて梱包されている。
【発明の効果】
【００１４】
本発明の陳列用台紙によれば、輸送コストが低くなり、輸送中の商品および陳列用台紙の破損のおそれが低減され、また店頭で煩雑な作業をせずに商品を陳列できる。
また、本発明の商品梱包方法および商品梱包物は、輸送コストが低く、また輸送中に商品や陳列用台紙が破損するおそれが少なく、かつ店頭に陳列する際に煩雑な作業を必要としない。
【発明を実施するための最良の形態】
【００１５】
［第１実施形態］
本発明の陳列用台紙の第１実施形態、および該第１実施形態に係る商品梱包方法について、図１〜４に基づいて詳細に説明する。尚、以下の説明における上下方向、水平方向とは、特に断りのない限り、陳列用台紙の吊り下げ時における方向を意味する。
【００１６】
（陳列用台紙）
本発明の陳列用台紙１（以下、台紙１という）は、複数の商品２０を陳列するために吊り下げて使用される台紙である。
台紙１は、図１に示すように、商品固定部１０が複数設けられている。これらの商品固定部１０それぞれに商品２０を固定し、台紙１を店舗内等に吊り下げることにより商品２０が陳列される（図２）。
【００１７】
台紙１の形状は、上下方向に縦長の形状である。
台紙１には、台紙表面１ａに広告を印刷することが好ましい。この場合には、台紙上部表面１ｂに印刷が施されるのが好ましい。本実施形態では、台紙１に吊り下げた商品２０を安定に支えるために、図２に示すように、台紙下部１ｃの下端１ｄが、最も下に吊り下げられた商品２０の下端２０ａよりも下方にくるように設計されている。
台紙１の材質は、商品２０を吊り下げる荷重に耐え得る強度を有するものであれば特に限定されず、例えば、コート紙、ボール紙、含浸紙等が挙げられ、加工性、取り扱い、コスト等の点からボール紙が好ましい。
【００１８】
また、台紙１は、図１に示すように、商品２０を固定する面（台紙表面１ａ）側に山折りするための山折用線２（４本）と谷折りするための谷折用線３（５本）とを、水平方向に沿って交互に備えている。
山折用線２および谷折用線３は、筋押し、ミシン目加工線等により形成されているのが好ましく、印刷による目印線であってもよい。
【００１９】
山折用線２および谷折用線３の間隔は、固定する商品２０の大きさ、配置によって決定される。本実施形態では、図１に示すように、山折用線２（谷折用線３）が等間隔に備えられている。大きさおよび形状が同じ商品２０を固定する場合は、このように山折用線２（谷折用線３）を等間隔に備えることが好ましい。
【００２０】
台紙１の吊り下げ時の上部には、商品２０の陳列時に台紙１を吊り下げるための穴４が左右２ヶ所に設けられている。例えば、穴４に紐を通し、その紐をフック等に引っ掛けることにより台紙１を店舗内の棚や壁等に固定することができる。
【００２１】
台紙１には、商品２０を固定するための商品固定部材として商品固定部１０が設けられている。商品固定部１０は、台紙１に固定する商品２０の数だけ設けられている。
商品固定部１０は、図２に示すように、商品２０を吊り下げるための吊り下げ片１０ａと、商品２０の上端部を押さえるための押さえ片１０ｂとを有している。吊り下げ片１０ａおよび押さえ片１０ｂは、台紙１に切り込みを入れることにより設けられている。
【００２２】
商品固定部１０は、台紙１の谷折用線３と、吊り下げ時に該谷折用線３の直ぐ下側に位置する山折用線２との間（以下、折り返し部５とする）に各々設けられている（図１および図３）。本実施形態では、図１に示すように、最も下側に位置する谷折用線３の下側にも商品固定部１０が設けられている。この商品固定部１０の位置は、これに固定した商品２０が梱包時に他の商品固定部１０に固定した商品２０と重なり合うような位置となっている。
これらは、台紙１の上下方向に沿って各折り返し部５に１つずつ、および最も下側の谷折用線３の下方に１つの合計５つが設けられている。
【００２３】
また、商品固定部１０は、各々の折り返し部５の水平方向に２つずつ設けられている。水平方向に並んだ各々の商品固定部１０の間隔は、それらに固定された商品２０同士が重なり合わない間隔となっている。水平方向に複数の商品固定部１０が設けられることにより、台紙１に固定する商品２０の数を増やすことができる。
【００２４】
（商品梱包方法）
以下、本実施形態の台紙１を用いた商品梱包方法について説明する。
本実施形態の商品梱包方法は、陳列用台紙に複数の山折線と谷折線とを形成する折り畳み工程（以下、工程（１）という）と、台紙１に商品を固定する商品固定工程（以下、工程（２）という）とを含み、固定された複数の商品を重ね合わせて梱包することを特徴とする方法である。
【００２５】
すなわち、工程（１）では、台紙１を、図１に示すように、山折用線２および谷折用線３に沿って山折りと谷折りして、水平方向に沿った複数の山折線６と谷折線７とを形成する。
工程（２）では、工程（１）により形成される各谷折線７と、吊り下げ時に該各谷折線７の直ぐ下側に位置する各山折線６との間に形成された商品固定部１０に商品２０を固定する。
【００２６】
工程（１）および工程（２）の順序には特に限定はなく、台紙１を折り畳んだ後に（工程（１））、台紙１に商品２０を固定していき（工程（２））、図３のように商品２０を重ね合わせる方法が挙げられる。
また、台紙１に商品２０を固定した後に（工程（２））、台紙１を折り畳んでいき（工程（１））、図３のように商品２０を重ね合わせる方法であってもよい。
また、工程（１）と、工程（２）とを同時に並行して行う方法としてもよい。この場合は、たとえば、台紙１の下から順に、商品２０を２つずつ固定し、商品２０を固定した直ぐ上の谷折用線３と山折用線２とをその都度折り畳む工程を繰り返していく方法が挙げられる。
【００２７】
本実施形態の商品梱包方法では、さらに、図４のように、台紙１と重ね合わされた商品２０との回りを帯３０で巻き回す（帯封工程）。
帯３０で台紙１と商品２０との回りを巻き回すことにより、これらをより強固に固定することができ、輸送中の振動等で商品２０が台紙１から脱落し難くなる。
【００２８】
このような商品梱包方法により、図４に示すように、台紙１に複数の商品２０が固定されて重ね合わされた商品梱包物Ｉが得られる。
本実施形態では、このように台紙１を山折用線２と谷折用線３に沿って折り畳むことにより、商品２０のみを複数重ね合わせるのと同じように、複数の商品２０を台紙１に固定した状態で隙間なく重ね合わせることができる。特に、本実施形態では、商品固定部１０が台紙１の上下方向に沿って直線状に並べて設けられているため、商品固定部１０に固定した複数の商品２０を容易に隙間なく重ね合わせることができる。したがって、該商品梱包物Ｉは、商品２０のみを重ね合わせて帯等で固定したものと同様に、同様の収納密度でダンボール箱等に収納できる。
【００２９】
本実施形態の台紙１は、図２に示すように、厚みがあまり大きくないシート状の商品の梱包に適している。このような商品としては、例えば、プラスチックのシート材からなる袋体に収納された商品が挙げられる。
【００３０】
［第２実施形態］
次に、本発明の陳列用台紙の第２実施形態、および該第２実施形態に係る商品梱包方法について、図５および図６に基づいて説明する。
（陳列用台紙）
陳列用台紙４１（以下、台紙４１という）は、複数の商品５０を陳列するための台紙である。
台紙４１は、図５に示すように、商品固定部６０が複数設けられている。これらの商品固定部６０それぞれに商品５０を固定し、台紙４１を店舗内等に吊り下げることにより商品５０を陳列する。
【００３１】
台紙４１の形状は、縦長の形状である。
台紙４１には、台紙表面４１ａに広告を印刷することが好ましい。この場合には、台紙上部表面４１ｂに印刷が施されるのが好ましい。本実施形態では、台紙４１に固定した商品５０を安定に支えるために、図６に示すように、台紙下部４１ｃの下端４１ｄが、最も下に吊り下げられた商品５０の下端５０ａよりも下方にくるように設計されている。
台紙４１の材質は、台紙１と同じものが使用でき、好ましい態様も同じである。
【００３２】
また、台紙４１は、図５に示すように、商品５０を固定する面（台紙表面４１ａ）側に山折りするための山折用線４２（４本）と谷折りするための谷折用線４３（１０本）を有している。前記山折用線４２および谷折用線４３は、１本の山折用線４２と２本の谷折用線４３（４３ａ、４３ｂ）とが交互に設けられている。また、山折用線４２および谷折用線４３は、台紙４１に水平方向に沿って設けられている。
山折用線４２および谷折用線４３は、筋押し、ミシン目加工線等により形成されているのが好ましく、印刷による目印線であってもよい。
【００３３】
山折用線４２および谷折用線４３の間隔は、固定する商品５０の大きさ、配置によって決定される。本実施形態では、図６に示すように、上側谷折用線４３ａと下側谷折用線４３ｂとの間隔ｄ１が商品５０の厚さ５０ｂと略同じになるように設計されている。
【００３４】
台紙４１の吊り下げ時の上部には、台紙１と同様に、商品５０の陳列時に台紙４１を吊り下げるための穴４４が左右２ヶ所に設けられている。
【００３５】
台紙４１には、商品５０を固定するための商品固定部材として商品固定部６０が設けられている。商品固定部６０は、台紙４１に固定する商品５０の数だけ設けられている。
商品固定部６０は、図５に示すように、商品固定部１０と同様の構成である。
【００３６】
商品固定部６０は、図５に示すように、台紙４１の谷折用線４３と、吊り下げ時に該谷折用線４３の直ぐ下側に位置する山折用線４２との間（以下、折り返し部４５という）に各々設けられる。
すなわち、商品固定部６０は、下側谷折用線４３ｂと、吊り下げ時に該下側谷折用線４３ｂの直ぐ下側に位置する山折用線４２との間（以下、折り返し部４５ｂという）に各々設けられている。
【００３７】
本実施形態では、図５に示すように、最も下側に位置する谷折用線４３ｂの下方にも商品固定部６０が設けられている。この商品固定部６０の位置は、これに固定した商品５０が梱包時に他の商品固定部６０に固定した商品５０と重なり合うような位置となっている。
これらは、台紙４１の上下方向に沿って各折り返し部４５ｂ（折り返し部４５）に１つずつ、および最も下側の谷折用線４３の下方に１つの合計５つが設けられている。
【００３８】
また、商品固定部６０は、折り返し部４５ｂ（折り返し部４５）の水平方向に沿って２つずつ設けられている。水平方向に並んだ各々の商品固定部６０の間隔は、それらに固定された商品５０同士が重なり合わないような間隔となっている。水平方向に複数の商品固定部６０が設けられることにより、台紙４１に固定する商品５０の数を増やすことができる。
【００３９】
（商品梱包方法）
以下、本発明の台紙４１を用いた商品梱包方法について説明する。
本実施形態の商品梱包方法は、第１実施形態と同様に、台紙４１を折り畳む工程（１）と、台紙４１に商品５０を固定する工程（２）とを含み、固定された複数の商品５０を重ね合わせて梱包することを特徴とする方法である。
【００４０】
すなわち、工程（１）では、台紙４１を、図５に示すように、山折用線４２および谷折用線４３に沿って山折りおよび谷折りして、水平方向に沿って複数の山折線４６と谷折線４７とを形成する。
工程（２）では、工程（１）により形成する各谷折線４７と、吊り下げ時に該各谷折線４７の直ぐ下側に位置する各山折線４６との間に形成された商品固定部６０に商品５０を固定する。
【００４１】
工程（１）および工程（２）の順序には特に限定はなく、台紙４１を折り畳んだ後に（工程（１））、台紙４１に商品５０を固定していき（工程（２））、図６のように商品５０を重ね合わせる方法が挙げられる。
また、台紙１に商品５０を固定した後に（工程（２））、台紙４１を折り畳んでいき（工程（１））、図６のように商品５０を重ね合わせる方法であってもよい。
また、工程（１）と、工程（２）とを同時に並行して行う方法としてもよい。この場合は、たとえば、台紙４１の下から順に、商品５０を２つずつ固定し、商品５０を固定した直ぐ上の谷折用線４３と山折用線４２とをその都度折り畳む工程を繰り返していく方法が挙げられる。
【００４２】
本実施形態では、さらに、第１実施形態と同様に（図４参照）、台紙４１と重ね合わされた商品５０との回りを帯で巻き回す（帯封工程）。
帯で台紙４１と商品５０との回りを巻き回すことにより、これらをより強固に固定することができ、輸送中の振動等で商品５０が台紙４１から脱落し難くなる。
【００４３】
このような商品梱包方法により、台紙４１に複数の商品５０が固定されて重ね合わされた商品梱包物が得られる。
本実施形態では、このように台紙４１を山折用線４２と谷折用線４３に沿って折り畳むことにより、商品５０のみを複数重ね合わせるのと同じように、複数の商品５０を台紙４１に固定した状態で隙間なく重ね合わせることができる。特に、本実施形態では、商品固定部６０が台紙４１の上下方向に沿って直線状に並んで設けられているため、これらの商品固定部６０に固定した複数の商品５０を容易に隙間なく重ね合わせることができる。したがって、この商品梱包物は、商品５０のみを重ね合わせて帯等で固定したものと同様に、同様の収納密度でダンボール箱等に収納できる。
【００４４】
本実施形態の台紙４１は、図６に示すように、厚みの大きな商品の梱包に適している。すなわち、上側谷折用線４３ａと下側谷折用線４３ｂとの距離ｄ１を商品５０の厚み５０ｂと同じとなるように設計することにより、台紙４１に固定した商品５０を容易に隙間なく重ね合わせることができる（図６）。商品５０としては、例えば、ボール紙からなる箱に収納された商品が挙げられる。
【００４５】
［その他の実施形態］
本発明の陳列用台紙に固定する商品の個数は、前記実施形態のものに限定されない。例えば、２０個の商品を固定する台紙であっても、３０個の商品を固定する台紙であってもよい。
また、第１実施形態、第２実施形態ともに、折り返し部に２つの商品を水平方向に並べて固定する例を示したが、折り返し部の水平方向に並べて固定する商品の個数は、陳列用台紙と商品の大きさの関係等により適宜決定すればよく、１つとしても３つ以上としてもよい。
１つの折り返し部には、その上下方向に商品を１つのみ固定するのが好ましいが、上下方向に２つ以上並べて固定してもよい。
また、第２実施形態では、商品固定部６０を各折り返し部４５ｂに設ける例を示したが、上側谷折用線４３ａと、吊り下げ時の該上側谷折用線４３ａの直ぐ下側に位置する下側谷折用線４３ｂとの間（以下、折り返し部４５ａという）に設けてもよく、折り返し部４５ａと折り返し部４５ｂとの両方に設けてもよい。
【００４６】
また、陳列用台紙に設ける山折用線および谷折用線の数にも限定はなく、台紙に固定する商品の個数や配置によって適宜決定すればよい。
【００４７】
本発明の陳列用台紙の形状は、図示例のような縦長の形状には限定されず、商品が目立つこと、台紙表面（商品を吊り下げる面）に施す広告による効果等を考慮して適宜決定すればよく、例えば、子供向けのキャラクターの形状をしていてもよい。
【００４８】
本発明の商品固定部材は、図示例のものに限定されず、台紙に切り込みを入れて形成する場合には、商品を固定できるものであればよく、従来公知の形状のものを使用できる。また、商品を固定できるものであれば、切り込みを入れて形成する以外に、後からフック等を取り付けて形成してもよい。
また、台紙への商品の固定方法は、前記商品固定部材を用いる方法に限定されず、例えば、商品をホッチキス、糊等で固定する方法としてもよい。
また、山折用線および谷折用線は、図示したような台紙の端から端まで形成されている形状には限定されず、台紙を山折りと谷折りして折り畳み易くできるものであれば、必ずしも台紙の端から端まで形成されている必要はない。
【００４９】
帯封工程においては帯の形状は限定されず、例えば、細い紐状であってもよい。また、帯封工程を行わなくてもよい。
【００５０】
本発明の商品梱包方法は、台紙１または台紙４１のように、山折用線および谷折用線を有しているものを用いて行うことが好ましいが、山折用線や谷折用線を有していない台紙を使用してもよい。
たとえば、所定の場所に商品固定部材を有する平板状の台紙を用い、予め設定した通りに山折りと谷折りを行える専用の装置を使用して、台紙の折り畳み工程と商品固定工程とを行う方法等が挙げられる。
【００５１】
以上説明したように、本発明の商品梱包方法によれば、商品を陳列用台紙に固定した状態で、商品のみを複数重ね合わせるのと同様に隙間なく重ね合わせることができる。そのため、得られた商品梱包物をダンボール箱等に詰めて輸送する場合には、ダンボール箱内に無駄な空間を作らずに済むため、輸送コストを低く抑えることができる。また、従来、輸送時に商品と台紙とを収納するために用いられていたビニール袋を使用する必要がなくなることも、輸送コスト削減に繋がる。
【００５２】
また、本発明の商品梱包物によれば、隙間なく商品を重ねた状態で商品梱包物を輸送できるため、輸送中の振動等で商品が台紙から脱落してしまうおそれが少なく、不良品の発生を抑えることができる。
さらに、商品を陳列用台紙に固定した状態で輸送できることから、輸送後、ダンボール箱から商品梱包物を取り出し、陳列用台紙を店舗内に吊り下げるだけでそのまま商品を陳列できるため、各店舗での作業が軽減される。
【００５３】
その他、本発明の商品梱包方法により得られる商品梱包物を用いることは、在庫商品の保存空間の削減にも効果がある。
【図面の簡単な説明】
【００５４】
【図１】本発明の陳列用台紙の第１実施形態の斜視図である。
【図２】図１の台紙に商品を吊り下げた様子を示した斜視図である。
【図３】図２の台紙を折り畳んでいる様子を示した斜視図である。
【図４】重ね合わせた商品と台紙とを帯で巻き回した様子を示した斜視図である。
【図５】本発明の第２実施形態の陳列用台紙を示した斜視図である。
【図６】図５の台紙に商品を吊り下げ、折り畳んでいる様子を示した斜視図である。
【図７】従来の陳列用台紙を示した斜視図である。
【図８】図６の陳列用台紙を縦に半分に折り畳んだ様子を示した斜視図である。
【符号の説明】
【００５５】
１  陳列用台紙
２  山折用線
３  谷折用線
６  山折線
７  谷折線
１０  商品固定部
２０  商品
３０  帯
４１  陳列用台紙
４２  山折用線
４３、４３ａ、４３ｂ  谷折用線
４６  山折線
４７  谷折線
５０  商品
６０  商品固定部
Ｉ  商品梱包物
【図１】
0005289737.tif 000002
【図２】
0005289737.tif 000003
【図３】
0005289737.tif 000004
【図４】
0005289737.tif 000005
【図５】
0005289737.tif 000006
【図６】
0005289737.tif 000007
【図７】
0005289737.tif 000008
【図８】
0005289737.tif 000009